(57)【要約】【課題】    輪状の内径の大きさを調整できる装飾品を提供する。【解決手段】    線材１１の一方側の端末１１ａに他方側の線材を挿入して摺動できる摺動穴１２ｂを設けた第１の止め具１２を固定し、前記線材１１の前記他方側の端末１１ｂに前記一方側の線材を挿入して摺動できる摺動穴１３ｂを設けた第２の止め具１３を固定し、前記第１の止め具１２の摺動穴１２ｂ及び前記第２の止め具１３の摺動穴１３ｂに挿入した前記線材１１を適度な摩擦抵抗の下で摺動することによって輪状に巻回された前記線材１１の輪状の内径の大きさを調整する。また、飾り部材１４を前記線材１１に摺動可能に設ける。【選択図】図１
0003137304.tif 000002
【実用新案登録請求の範囲】
【請求項１】
線材からなる装飾品で、線材の一方側の端末に他方側の線材を挿入して摺動できる摺動穴を設けた第１の止め具を固定し、前記線材の前記他方側の端末に前記一方側の線材を挿入して摺動できる摺動穴を設けた第２の止め具を固定し、前記第１の止め具の摺動穴及び前記第２の止め具の摺動穴に挿入した前記線材を摺動することによって輪状に巻回された前記線材の輪状の内径の大きさを調整すること特徴とする装飾品。
【請求項２】
前記第１の止め具の摺動穴及び前記第２の止め具の摺動穴に挿入した前記線材の摺動は適度な摩擦抵抗の下で摺動することを特徴とする請求項１に記載の装飾品。
【請求項３】
前記線材は金属又はプラスチックからなることを特徴とする請求項１又は２に記載の装飾品。
【請求項４】
前記線材は適度な長さの１本の線材、又は適度な長さの複数の細線を編み上げて１本に束ねた線材、又は複数の部材を繋ぎ合わせて適度な長さにした線材であることを特徴とする請求項１乃至３のいずれかに記載の装飾品。
【請求項５】
前記線材は透明色又はカラー色を有していることを特徴とする請求項１乃至４のいずれかに記載の装飾品。
【請求項６】
前記巻回された前記線材に飾り部材を摺動可能に設けたことを特徴とする請求項１乃至５のいずれかに記載の装飾品。
【請求項７】
前記請求項１乃至６のいずれかに記載の装飾品はブレスレットであることを特徴とする装飾品。
【請求項８】
前記請求項１乃至６のいずれかに記載の装飾品はネックレスであることを特徴とする装飾品。
【考案の詳細な説明】
【技術分野】
【０００１】  本考案はブレスレット、ネックレスなどの装飾品に関する。
【背景技術】
【０００２】  装飾品の中で、手首に装着するブレスレットは古代の時代から用いられており、デザイン的に大別するとバングル・タイプとチェーン・タイプの２種類に分けられる。バングル・タイプのブレスレットは通常手首の中で動かないタイプのブレスレットを云い、手首の太さにフィットしたサイズのものを選択する必要がある。チェーン・タイプのブレスレットは鎖をベースにしたデザインが多く、手首の太さよりかなり大きめになっていて手の動きでチェーンが揺れるブレスレットである。【０００３】  使用者にとっては、手首の太さにフィットしたサイズのブレスレットが容易に入手できるのが望ましい。そこで、使用者の手首の太さに容易にフィットできるようにブレスレッドの輪の大きさを自由に調整できる構造のものも現れてきている。例えば、下記の特許文献１に記載された構造のものもその一つである。【０００４】
【特許文献１】  特開２００３−２１０２１５号公報
【０００５】  上記特許文献１に記載の構造は、図６、図７に示されるように、適宜な長さのフレキシブルな長尺部材１がスパイラルに巻回している。長尺部材１はＳ極とＮ極の磁性が着磁しており、その外表面には樹脂からなる薄膜２が被覆している。そして、ロープ体３を形成してスパイラル状に巻回している。【０００６】  スパイラル状に巻回したロープ体３はＳ極とＮ極が対面して積層状態に吸着し、適宜な幅を持った装身具本体５を形成している。また、積層状態になったロープ体３がほぐれないようにするために装飾留体６を１個または２個以上取付けている。【０００７】  装飾留体６は、図７に示されたように、一方側にロープ体３を挿入する挿入部７を有し、他方側にロープ体３に係止する係止部８を有している。【０００８】  この装身具本体５の使用方法は次のようになっている。ロープ体３の端部４を装飾留体６の挿入部７に挿入した状態において、ロープ体３を手首に、手首の太さに対して所望の径になるように順次スパイラル状に巻回するとロープ体３が面接触状態で吸着され、積層状態で幅方向に一体化する。次いで、装飾留体６の挿入部７を軸として回転し、装飾留体６の係止部８をロープ体３の端部に係止する。【０００９】  これによって、ロープ体３を確実に一体化して留めることが可能となり、同時に、この装飾留体６が装身具本体５の外周面の装飾機能発揮することができるとされている。また、使用者の手首の径に応じて内径や積層幅を好みに応じて適宜に調整できるとされている。
【考案の開示】
【考案が解決しようとする課題】
【００１０】  しかしながら、特許文献１に記載のブレスレットは、帯磁する材料でなければ使用できず、使用材料に制約がある。また、装飾留体６はロープ体３の積層する層数によって幅が決まるので、ロープ体３の積層数毎に用意する必要がある。例えば、手首の太い人、細い人によって積層数が異なってくる場合は装飾留体６をそれに合わせて変えなければならないと云う問題を有する。
【課題を解決するための手段】
【００１１】  本考案は上記課題を解決するために成されたものである。解決する手段として、本考案の請求項１に記載の装飾品の特徴は、線材からなる装飾品で、線材の一方側の端末に他方側の線材を挿入して摺動できる摺動穴を設けた第１の止め具を固定し、前記線材の前記他方側の端末に前記一方側の線材を挿入して摺動できる摺動穴を設けた第２の止め具を固定し、前記第１の止め具の摺動穴及び前記第２の止め具の摺動穴に挿入した前記線材を摺動することによって輪状に巻回された前記線材の輪状の内径の大きさを調整すること特徴とするものである。【００１２】  この構成によれば、適度な長さの線材を１巻から２巻まで巻回して輪状の装飾品を形成することができる。従って、１巻状態の輪状の内径から２巻状態の輪状の内径まで輪状の内径の大きさを自由に調整することができる。【００１３】  また、本考案の請求項２に記載の装飾品の特徴は、前記第１の止め具の摺動穴及び前記第２の止め具の摺動穴に挿入した前記線材の摺動は適度な摩擦抵抗の下で摺動することを特徴とするものである。【００１４】  適度な摩擦係数を有することで、力を加えない状態での使用中では摺動せず、適度な力で線材を引っ張ることで摺動する。つまり、微弱な力では摺動せず、また、強力な力を必要とせずに摺動するので、容易な取扱いで内径の調整ができる。【００１５】  また、本考案の請求項３に記載の装飾品の特徴は、前記線材は金属又はプラスチックからなることを特徴とするものである。【００１６】  比較的細い金属の線材やプラスチックの線材では弾力性が現れるので輪状に巻回することができる。また、貴金属の材料を用いれば装飾感も現れる。【００１７】  また、本考案の請求項４に記載の装飾品の特徴は、前記線材は適度な長さの１本の線材、又は適度な長さの複数の細線を編み上げて１本に束ねた線材、又は複数の部材を繋ぎ合わせて適度な長さにした線材であることを特徴とするものである。【００１８】  これによって、デザイン上のバリエーションを増すことができる。特に、複数の部材を繋ぎ合わせて適度な長さにした線材は鎖状の構造をなすので垂れ下がった形状の装飾品が得られる。【００１９】  また、本考案の請求項５に記載の装飾品の特徴は、前記線材は透明色又はカラー色を有していることを特徴とするものである。【００２０】  透明色であると肌色が透けて見え、カラー色であるとそのカラー色が現れ、装飾バリエーションを増やすことができる。【００２１】  また、本考案の請求項６に記載の装飾品の特徴は、前記巻回された前記線材に飾り部材を摺動可能に設けたことを特徴とするものである。【００２２】  飾り部材を設けることで装飾性が高められる。また、飾り部材を摺動可能に設けることで所望の位置に取付けることができる。【００２３】  また、本考案の請求項７に記載の装飾品の特徴は、前記請求項１乃至６のいずれかに記載の装飾品はブレスレットであることを特徴とするものである。【００２４】  また、本考案の請求項８に記載の装飾品の特徴は、前記請求項１乃至６のいずれかに記載の装飾品はネックレスであることを特徴とするものである。【００２５】  ブレスレッドは手から差し込んで使用する。本考案の装飾品は１巻の輪の状態であると内径は大きくなり、容易に手から差し込んで手首の太さにフィットした状態に内径を調整して使用することができる。また同様に、ネックレスとして使用する場合は頭部から差し込んで首もとで所望の大きさに調整して使用することができる。従来のネックレスの構造は、線材の両端に設けた一対の係合部材を首に掛けた状態で両手で把持して係合させ、輪状にして使用するのが一般的である。この構造であると両端の係合部材の係合を感覚で行うためスムーズに繋がらない場合が生じる。本考案のネックレスは前もって１巻の輪状になっているため頭部から差し込むだけで良い。そして、線材を摺動させて所望の長さに調整すれば良い。首への装着が簡単にできるメリットが得られる。
【考案の効果】
【００２６】  考案の効果として、請求項の考案毎に細部に渡って作用・効果を説明した。本考案によれば、輪状なる装飾品の輪状内径を簡単に調整できるので、使用者の所望の大きさにして使用することができる。また、飾り部材を設けることで装飾性を高めることができる。また、金属やプラスチックの線材と線材の両端に固定する止め具だけで構成しているので部品点数が少なく、製造コストも安くできる。
【考案を実施するための最良の形態】
【００２７】  以下、本考案を実施するための最良の形態（以降、実施形態と云う）について図を用いながら説明する。【００２８】  （第１実施形態）
最初に、本考案の第１実施形態に係る装飾品について図１〜図４を用いて説明する。なお、図１は本考案の第１実施形態に係る装飾品の斜視図、図２は図１における第１の止め具の斜視図と断面図で、図２の（ａ）は斜視図、図２の（ｂ）は図２の（ａ）におけるＡ−Ａ断面図、図２の（ｃ）は図２の（ａ）におけるＢ−Ｂ断面図を示している。また、図３は図１における飾り部材の側面図と断面図で、図３の（ａ）は側面図、図３の（ｂ）は図３の（ａ）のＤ−Ｄ断面図を示している。また、図４は図１に示す線材の他の実施形態の形状図で、図４の（ａ）はロープ状に編み込んだ拡大平面図、図４の（ｂ）は四角い鎖状に形成した拡大平面図を示している。【００２９】  第１実施形態の装飾品はブレスレットである。ブレスレッドなる装飾品１０は、図１に示すように、線材１１の両端に第１の止め具１２と第２の止め具１３を固定し、この第１の止め具１２と第２の止め具１３を用いて線材１１を輪状に巻回し、そして、飾り部材１４を設けた構成をなしている。【００３０】  第１の止め具１２は線材１１の一方側の端末１１ａに固定しており、第２の止め具１３は線材１１の他方側の端末１１ｂに固定している。この第１の止め具１２と第２の止め具１３は同じ形状をなしているので、第１の止め具１２の形状について図２の（ａ）でもって説明し、第２の止め具１３についての説明は省略する。第１の止め具１２は、第１実施形態においては、筒状の摺動部１２ａと、同じく筒状の固定部１２ｃを繋げた形状をなしている。そして、摺動部１２ａには摺動穴１２ｂが設けられており、この摺動穴１２ｂに線材１１が摺動するようになっている。一方、固定部１２ｃは固定穴１２ｄとカシメ穴１２ｅと把持部１２ｆが設けられている。【００３１】  線材１１と固定部１２ｃとの固定方法は、図２の（ｃ）に示すように、固定穴１２ｄに線材１１の端末１１ａを挿入し、カシメ穴１２ｅをポンチで叩くことによってカシメ穴１２ｅの内周部が線材１１の表面に喰い込んで固定する方法を取っている。【００３２】  把持部１２ｆは球状の形状をなしている。この把持部１２ｆを２本の指先で把持して動かすことによって線材１１が摺動穴１２ｂと摺動するようになっている。【００３３】  摺動穴１２ｂでの線材１１の摺動は適度な摩擦抵抗の下で摺動する。図２の（ｂ）に示すように、摺動部１２ａの摺動穴１２ｂと線材１１とのクリアランスは僅かで、クリアランス量で摩擦抵抗が決まってくる。クリアランスが大きく摩擦抵抗が小さいと、微少の力で線材１１が動き、振動などで線材１１が動くようになる。また、クリアランスが小さく摩擦抵抗が大きいと、線材１１を摺動させるのに強い力が必要になる。加える力が弱くもなく、また、強くもない程度で摺動する摩擦抵抗が一番良い。適度な摩擦抵抗が得られるクリアランスとしては材質によっても異なるが概ね１０〜３０μｍの範囲が望ましい。【００３４】  線材１１は、第１実施形態においては、ナイロンの透明プラスチック線を用いている。プラスチック線は弾性力を有するので容易に輪状に変形する。なお、ナイロンに限らず、ＰＥＴ（ポリエチレンテレフタレート）、テフロンなどの材料も好適な材料として挙げられる。また、プラスチック線に限らす���弾性力のある金属線を用いても良い。例えば、ステンレスなどは耐蝕性を有するので好適な材料として挙げることができる。その他には、真鍮などの銅合金材料などを用いることができる。なお、銅合金材料を用いる場合はＡｕ、Ｐｔ、Ｒｈなどのメッキを施して耐蝕性を高めるのが好ましい。勿論、ステンレスを用いた場合でもＡｕ、Ｐｔ、Ｒｈなどのメッキを施して装飾性を高めて用いても良い。また、当然ながらＡｕ、Ｐｔなどの金属線を直接用いても良い。線材１１の表面がＡｕ、Ｐｔ、Ｒｈなどの金属色を呈していると貴金属感と高級感が現れる。【００３５】  線材１１に透明なプラスチック線を用いると肌色が直接見えたりして特別に引き立って見える状態ではないが、反面、清潔感のようなものが現れてくる。また、プラスチック線を用いる場合にカラー着色を施して所望のカラー色を出すこともできる。金属線を用いたときには用いた金属線の色調が現れる。色々なカラー色を出させることができ、装飾のバリエーションが増える。なお、線材１１は光沢を有するのが良い。光沢が有ることでそこからの反射光が多く現れ、輝きが現れて装飾性が高められると同時に目立つようになる。【００３６】  第１の止め具１２と第２の止め具１３は、第１実施形態においては、ステンレスの金属で形成している。しかしながら、この止め具はステンレスに限らず、他の金属材料で形成しても良く、また、プラスチックで形成しても構わない。また、第１実施形態においては、筒状の摺動部１２ａと筒状の固定部１２ｃを繋げた構造をなしたが、この構造に限らず、線材１１の摺動と端末１１ａの固定ができる構造であれば良い。また、摺動穴１２ｂ、１３ｂは完全な穴構造を取ったが、「Ｃ」字形のように一部に摺り割り入れた構造であっても良く、本考案では摺り割の入れた穴も摺動穴として適用するものである。摺り割を入れる構造は線材と穴とのクリアランスにバラツキがあっても摩擦抵抗は余り変化しないと云う利点がある。【００３７】  次に、飾り部材１４は、図３の（ａ）に示すように、線材１１の輪状に沿うように湾曲した形状に形成した基体１４ａと、基体１４ａの下面側の２箇所に設けた摺動部１４ｂ、１４ｃから構成している。摺動部１４ｂと摺動部１４ｃは同じ形状をなしており、図３の（ｂ）に示すように、２本の線材１１が摺動部１４ｂの中を適度の摩擦抵抗の下で摺動するように穴１４ｅを有している。【００３８】  基体１４ａは、第１実施形態においては、ステンレス金属の平板を湾曲して形成しており、上面１４ｄは光沢面に仕上げられていて、全ての角部は丸味を持たして肌にキズ付けないようにしている。【００３９】  飾り部材１４は装飾性を高めるために設けるが、上面１４ｄに名前のイニシアル文字を設けても良く、また、様々な装飾模様などを設けても良い。第１実施形態においては、飾り部材１４を平板で形成したが、特に平板に限るものではなく他の様々な構造で形成しても良い。例えば、宝石や貴石などを散りばめた構造にすることも可能で、飾り部材１４の構成を変えることによって様々な装飾バリエーションが得られる。【００４０】  以上の構成をなしたブレスレットは、第１の止め具１２の近くの線材１１を片方の手の親指と人差し指で把持して固定し、���う一方の手の親指と人差し指で第１の止め具１２の把持部１２ｆを把持して第１の止め具１２を動かせば第１の止め具１２の摺動穴１２ｂと線材１１は摺動して輪状の内径（大きさ）が大きくなったり、小さくなったりする。
また、第２の止め具１３の方についても同じ動作を行うことにより輪状の内径（大きさ）が大きくなったり、小さくなったりする。【００４１】  このような方法で線材１１は１巻から２巻までの範囲で線材１１の巻回が得られる。そして、２巻の時の輪状の内径は１巻の時の内径に対して略１／２位に小さくなる。【００４２】  一人で手首に装着する方法について簡単に説明する。最初に、輪状の内径を大きくしておいて一方の手に差し込み、次に、他方の親指で線材１１を手首の肌に押し当てて固定し、第１の止め具１２あるいは第２の止め具１３に人差し指の爪を掛けて引っ張ることにより、線材１１が第１の止め具１２の摺動穴１２ｂあるいは第２の止め具１３の摺動穴１３ｂと摺動して輪状の内径が小さくなる。小さくなり過ぎた場合は人差し指の爪を掛けて押し込んでいくと内径が大きくなる。このような調整方法を取ることにより所望の内径に調整することができる。【００４３】  なお、第１実施形態では、線材１１に１本のプラスチック線を用いたが、例えば図４に示すような他の形状の線材を用いることもできる。図４の（ａ）に示す線材２１は複数の細線２１ａをロープ状に編み上げて１本の束にした線材である。また、図４の（ｂ）に示す線材３１は四角い鎖状に繋げた線材である。図４の（ｂ）において、四角なコの字型をした鎖部材３１ａ１、３１ａ２（３１ａ２は３１ａ１の裏側に配される部材で、図示していない）、３１ｂ１、３１ｂ２を４面にそれぞれ対向して繋げて四角の鎖状の線材としたものである。この四角の鎖状の線材３１を用いる場合は摺動する相手側の第１の止め具１２の摺動穴１２ｂ、あるいは、第２の止め具１３の摺動穴１３ｂは四角形状に形成したものを使用する。また、飾り部材１４の摺動穴１４ｅも四角形状にしたものを用いる。飾り部材１４の摺動穴１４ｅを四角形状にすると摺動穴１４ｅの中で線材３１が回らないので線材３１に対して飾り部材１４が捻れるようなことは生じない。なお、図４の（ａ）のロープ状の線材２１、図４の（ｂ）の鎖状の線材３１は金属材料で形成すると丈夫な線材が得られる。【００４４】  線材１１の他の形状として上記２つの代表的な形状を挙げて説明した。しかしながら、本考案においてはこれらの形状に限るものではなく、丈夫で、第１の止め具１２や第２の止め具１３と容易に摺動できる形状をなすものであれば他の形状のものでも適用できるものである。【００４５】  以上詳細に説明したように、本考案のブレスレッドは巻回した輪状の内径の大きさを自由に調整することができ、手首の太さに対して所望の大きさに調整して使用することができるので、手首の太さにフィットしたブレスレットが得られる。また、少ない部品で構成しているので製造コストも安くできると云う効果も得る。【００４６】  （第２実施形態）
次に、本考案の第２実施形態に係る装飾品について図５を用いて説明する。図５は本考案の第２実施形態に係る装飾品の平面図を示している。【００４７】  第２実施形態の装飾品はネックレスである。ネックレスなる装飾品４０は、図５に示すように、線材４１の両端に第１の止め具４２と第２の止め具４３を固定し、この第１の止め具４２と第２の止め具４３を用いて線材４１を輪状に巻回し、そして、飾り部材４４を設けた構成をなしている。【００４８】  第１の止め具４２は線材４１の一方側の端末４１ａに固定しており、第２の止め具４３は線材４１の他方側の端末４１ｂに固定している。この第１の止め具４２と第２の止め具４３は同じ形状をなしている。【００４９】  ここでの線材４１は四角形状をなした鎖状の線材で、前述の図４の（ｂ）で示した鎖状の線材３１と同じ形状をなしているものである。鎖部材を繋げて形成しているため自在に湾曲し、首に掛けると胸元に垂れ下がる状態の形状にもなる。【００５０】  第１の止め具４２と第２の止め具４３は同じ形状、同じ構造をなしており、表側に飾り部４２ｇ、４３ｇを設けており、裏側には、図示はしていないが、四角の摺動穴を有する摺動部と、同じく四角の固定穴を有する固定部を設けている。そして、固定部の固定穴には線材４１の両端末４１ａ、４１ｂが挿入されて接着剤を介して固定されている。また、摺動穴には線材４１が挿入されて適度の摩擦抵抗の下で線材４１が摺動するようになっている。【００５１】  飾り部４２ｇ、４３ｇは装飾用に設けているもので、貴石や宝石などの飾りを爪などを介して止め具に固定している。【００５２】  飾り部材４４は摺動部４４ｂを設けており、摺動部４４ｂに設けた摺動穴を介して線材４１と摺動可能に取付けられる。飾り部材４４は装飾用として設けている。デザイン設計に応じて様々の形状、構造のものを選択することができる。【００５３】  以上の構成をなすことにより、線材４１の形状がフレキシブルに変形するのでネックレス材として好適に適用できる。線材４１を巻回した輪状の大きさは、線材４１を押さえて指で第１の止め具４２または第２の止め具４３を動かすことによって調整できる。輪状の大きさを大きくしておいて頭から差し込んで首に掛け、その後に輪状の大きさを小さくするように調整して所望の大きさ（首から垂れ下がる長さ）にする。【００５４】  従来のネックレスの構造は、線材の両端に設けた一対の係合部材を首に掛けた状態で両手で把持して係合させ、輪状にして使用するのが一般的であった。このような構造であると両端の係合部材が小さいこともあって係合がしづらく、スムーズに繋がらない場合が生じる。しかしながら、本考案のネックレスはそのような問題は起きず、しかも、長さも所望の長さに調整できる、また、線材４１を金属で形成し、Ａｕ、Ｐｔ、Ｒｈなどのメッキを施すことで貴金属感が現れ、そして、第１の止め具４２や第２の止め具４３の飾り部４２ｇ、４３ｇや、飾り部材４４の装飾性を高めることで高級感や装飾の豊かさなどが得られるようになる。【００５５】  以上、本考案の装飾品について、ブレスレットとネックレスを例にとって説明したが、身に付けるもの以外のものとして、ハンドバックなどの手持ち品の装飾品としても利用できるものである。
【図面の簡単な説明】
【００５６】
【図１】  本考案の第１実施形態に係る装飾品の斜視図である。
【図２】  図１における第１の止め具の斜視図と断面図で、図２の（ａ）は斜視図、図２の（ｂ）は図２の（ａ）におけるＡ−Ａ断面図、図２の（ｃ）は図２の（ａ）におけるＢ−Ｂ断面図である。
【図３】  図１における飾り部材の側面図と断面図で、図３の（ａ）は側面図、図３の（ｂ）は図３の（ａ）のＤ−Ｄ断面図である。
【図４】  図１に示す線材の他の実施形態の形状図で、図４の（ａ）はロープ状に編み込んだ拡大平面図、図４の（ｂ）は四角い鎖状に形成した拡大平面図である。
【図５】  本考案の第２実施形態に係る装飾品の平面図である。
【図６】  特許文献１に示されたブレスレッドなどの装身具の斜視図である。
【図７】  図６における装飾留体の断面図である。
【符号の説明】
【００５７】１０、４０      装飾品
１１、２１、３１、４１      線材
１１ａ、１１ｂ、４１ａ、４１ｂ      端末
１２、４２      第１の止め具
１２ａ、１４ｂ、１４ｃ、４４ｂ      摺動部
１２ｂ、１３ｂ      摺動穴
１２ｃ      固定部
１２ｄ      固定穴
１２ｅ      カシメ穴
１２ｆ      把持部
１３、４３      第２の止め具
１４、４４      飾り部材
１４ａ      基体
１４ｄ      上面
１４ｅ      穴
２１ａ      細線
３１ａ１、３１ａ２、３１ｂ１、３１ｂ２      鎖部材
４２ｇ、４３ｇ      飾り部
【図１】
0003137304.tif 000003
【図２】
0003137304.tif 000004
【図３】
0003137304.tif 000005
【図４】
0003137304.tif 000006
【図５】
0003137304.tif 000007
【図６】
0003137304.tif 000008
【図７】
0003137304.tif 000009